(57)【要約】  本発明による方法と装置は、人のバイオインピーダンスデータを検出するために用いる。少なくとも２つの電極を使用して少なくとも１つのインピーダンス値を測定し、評価機構へ伝送する。少なくとも１つの出力機構の領域に、前記バイオインピーダンスの測定にとって最適な身体姿勢を取らせるための人の情報を提供する。
2014534878.tif 000002
【特許請求の範囲】
【請求項１】
少なくとも２つの電極を使用して少なくとも１つのインピーダンス値を測定し、評価機構へ伝送するようにした、人のバイオインピーダンスデータを検出する方法において、
少なくとも１つの出力機構の領域に、前記バイオインピーダンスの測定にとって最適な身体姿勢を取らせるための人の情報を提供することを特徴とする方法。
【請求項２】
前記上方をビジュアル表示させることを特徴とする、請求項１に記載の方法。
【請求項３】
人の実際の身体姿勢を少なくとも部分的に検知することを特徴とする、請求項１または２に記載の方法。
【請求項４】
カメラを使用して人の身体姿勢を検知することを特徴とする、請求項３に記載の方法。
【請求項５】
身体姿勢を機械的な測定機構を介して検知することを特徴とする、請求項３に記載の方法。
【請求項６】
身体姿勢を、電気的測定機構および／または容量性測定機構を介して検知することを特徴とする、請求項３に記載の方法。
【請求項７】
身体姿勢を超音波測定機構を介して検知することを特徴とする、請求項３に記載の方法。
【請求項８】
身体姿勢を光学的測定機構を介して測定することを特徴とする、請求項３に記載の方法。
【請求項９】
身体姿勢を無接触式測定機構を介して測定することを特徴とする、請求項３に記載の方法。
【請求項１０】
前記電極の少なくとも１つの領域で、身体姿勢に対する情報を少なくとも１つの表示ランプによって知らせることを特徴とする、請求項１から９までのいずれか一つに記載の方法。
【請求項１１】
実際の身体姿勢と目標身体姿勢との比較をベースにした情報を出力させることを特徴とする、請求項１から１０までのいずれか一つに記載の方法。
【請求項１２】
少なくとも１つのバイオインピーダンス値を測定するために少なくとも２つの電極を有し、これら電極が測定値の伝送のために評価機構と接続されている、人のバイオインピーダンスデータを検出するための装置において、
前記評価機構が出力機構と接続され、該出力機構が人の最適な身体姿勢に関する情報を提供するように構成されていることを特徴とする装置。
【請求項１３】
前記出力機構がビジュアル情報を表示するように構成されていることを特徴とする、請求項１２に記載の装置。
【請求項１４】
人の実際の身体姿勢を検知するための少なくとも１つの検知機構が設けられていることを特徴とする、請求項１２または１３に記載の装置。
【請求項１５】
前記検知機構がカメラとして構成されていることを特徴とする、請求項１２に記載の装置。
【請求項１６】
前記検知機構が機械的測定機構として構成されていることを特徴とする、請求項１２に記載の装置。
【請求項１７】
前記評価機構が人の身体姿勢に関する目標姿勢と実際の姿勢との比較を行うように構成されていることを特徴とする、請求項１２から１６までのいずれか一つに記載の装置。
【発明の詳細な説明】
【技術分野】
【０００１】
本発明は、少なくとも２つの電極を使用して少なくとも１つのインピーダンス値を測定し、評価機構へ伝送するようにした、人のバイオインピーダンスデータを検出する方法に関するものである。
本発明は、さらに、少なくとも１つのバイオインピーダンス値を測定するために少なくとも２つの電極を有し、これら電極が測定値の伝送のために評価機構と接続されている、人のバイオインピーダンスデータを検出するための装置にも関わる。
【背景技術】
【０００２】
この種の方法および装置は、典型的にはいわゆるボディコンポジションアナライザ(Body-Composition-Analyser: BCA)を使用して行われる。この種の装置の多くは２対の電極を備え、これら電極の上に被測定人が立つようになっている。さらに、人のそれぞれの手のために他の電極が設けられることが多い。
【０００３】
この種の装置および方法を適用する場合、測定値のクオリティが人の実際の身体姿勢によって著しく影響を受けることは明らかである。身体姿勢が好ましくないと、誤った測定結果または不正確な測定結果になるような測定値が発生する。
【発明の概要】
【発明が解決しようとする課題】
【０００４】
本発明の課題は、冒頭で述べた種類の方法を、測定精度が向上するように改善することである。
本発明の他の課題は、冒頭で述べた種類の装置を、正確な測定の実施が可能であるように構成することである。
【課題を解決するための手段】
【０００５】
上記課題は、方法に関しては、少なくとも１つの出力機構の領域に、バイオインピーダンスの測定にとって最適な身体姿勢を取らせるための人の情報を提供することによって解決される。
【０００６】
また、装置に関しては、評価機構が出力機構と接続され、該出力機構が人の最適な身体姿勢に関する情報を提供するように構成されていることによって解決される。
【０００７】
出力機構を、被測定人の身体姿勢に関する情報を提供するために使用することにより、被測定人に適当な身体姿勢を取らせるための指示を行うことができ、または、すでにとっている身体姿勢を修正するための指示を行うことができる。
【０００８】
これは、たとえば表示器の領域でビジュアルでまたは音で行うことができ、或いは、位置決めすべき身体部分を光学的にマーキングすることによって行うことができる。
【０００９】
情報の明確な確認は、情報がビジュアル表示されることによって容易になる。
【００１０】
身体姿勢の最適化は、人の実際の身体姿勢を少なくとも部分的に検知することによって可能になる。
【００１１】
装置技術の点での簡単な実現は、人の身体姿勢をカメラを用いて検知することによって可能になる。
【００１２】
他の実施態様によれば、身体姿勢を機械的な測定機構を介して特に接触式に行うことも想定されている。また、運動センサおよび／または三角測量を組み込むことで、空間内での手電極の位置を検出することができる（遠隔操作に関わるde.wikipedia.org/wiki/Wii-Fernbedienungに記載されているようなもの）。
【００１３】
測定クオリティの更なる改善は、実際の身体姿勢と目標身体姿勢との比較をベースにした情報を出力させることによって達成できる。
【図面の簡単な説明】
【００１４】
図面には、本発明のいくつかの実施形態が図示されている。
【図１】ボディコンポジションアナライザのハンドグリップの一部分の斜視図である。
【図２】ボディコンポジションアナライザの上に立つ人の斜視図である。
【図３Ａ】身体姿勢を修正するための指示を出すビジュアル表示の図である。
【図３Ｂ】すでに修正した身体姿勢に関して確認させる、図３Ａに対応する表示内容図ある。
【図４】被測定人が２つの手電極を握っている他の装置の斜視図である。
【発明を実施するための形態】
【００１５】
図１の図示によれば、被測定人（２）の片手（１）は、バイオインピーダンス検出装置のハンドグリップ（３）の領域に位置決めされている。ハンドグリップ（３）の領域には複数の電極（４，５）が配置されている。少なくともこれら電極（４，５）のうちのいくつかの電極の領域には表示ランプ（６）、たとえば発光ダイオードが配置されている。
【００１６】
表示ランプ（６）はたとえば緑色または赤色によって手（１）の正確な位置決めまたは誤った位置決めを知らせることができる。
【００１７】
図２は、バイオインピーダンス測定装置の上に人が立っているのを示している。人（２）はハンドグリップ（３）をいくつかの電極（４，５）の領域で把持している。人（２）前方の視線方向には表示器（７）が設けられている。表示器（７）はたとえばモニターまたはＬＥＤとして形成されていてよい。
【００１８】
立ち面（８）の領域には、人（２）の脚（１１，１２）用の複数の電極（９，１０）が配置されている。立ち面（８）の領域に、人（２）の体重を検出する計量器が位置決めされていてよい。
【００１９】
図示した実施形態では、ハンドグリップ（３）は半円状に延在していわば手すりを形成している。さらに、ハンドグリップ（３）は、把持に好ましい電極（４，５）の位置決めを可能にするため、水平方向に対し傾斜して配置されている。
【００２０】
ハンドグリップ（３）に沿って複数対の電極（４，５）が配置されていてよい。各対は利用者の両手の位置を設定している。
【００２１】
利用者の正確な身体位置は、たとえば利用者が触れているそれぞれの電極対を電気的に検知することで行うことができる。
【００２２】
たとえば、最初に利用するとき、アシスタントによって被測定人の手の正確な位置を設定することが可能である。この位置はたとえば電子患者ファイルに記憶させることができる。次の利用の際に、該当する利用者がすでに正確に既知になっているこれらの電極に触れたかどうかを比較する。被測定人またはアシスタントへの報知は、たとえば、ハンドグリップ（３）の領域に緑色または赤色のＬＥＤ（６）を点灯させることによって行うことができる。位置が正確であれば緑色のＬＥＤを点灯させ、位置が誤っていれば赤色のＬＥＤを点灯させる。
【００２３】
図３Ａは、ディスプレイとして形成された表示器（７）を、手電極（１４，１５）を握った人（２）とともに図示したものである。人（２）の左手および右手のためにそれぞれ表示器（７）の領域に修正図示部（１６，１７）が設けられている。修正図示部（１６，１７）は、たとえば、それぞれの手をもっと上げるべきか下げるべきか、或いは、もっと左側または右側へ位置決めすべきかどうかを指摘することができる。
【００２４】
図３Ｂの図示にによれば、手の位置を修正する必要がないことが指示される。
【００２５】
図４は、右手の領域で手電極（１４）を握っている他の人を説明する図である。
【００２６】
特に、無接触測定装置の使用が想定されている。最適な測定はカメラを使用して、またはカメラを使用しなくても実施することができる。たとえばライトバリヤー、レーザースキャナー、または三角測量を適用できる。また、一般的な電気測定方法または容量性測定方法も適用できる。超音波を使用した他の測定も実施できる。
【図１】
2014534878.tif 000003
【図２】
2014534878.tif 000004
【図３Ａ】
2014534878.tif 000005
【図３Ｂ】
2014534878.tif 000006
【図４】
2014534878.tif 000007
【国際調査報告】
2014534878.tif 000008
2014534878.tif 000009
2014534878.tif 000010
2014534878.tif 000011
2014534878.tif 000012
2014534878.tif 000013